(57)【要約】【課題】監視領域への進入を来訪者に許可する場合においても、施設のセキュリティを維持することができる入退室管理システムを提供する。【解決手段】入退室管理システムは、施設内の監視領域に対応して設けられた監視領域用読取部と、前記監視領域用読取部が識別体の識別情報を読み取った際に、当該識別体に対する認証処理を行う認証部と、前記認証部が前記監視領域への進入を許可された者に対応した識別体を認証してから予め設定された時間が経過する前に前記監視領域の来訪者に対応した識別体を認証した場合は、前記監視領域への進入を前記来訪者に許可し、前記認証部が前記監視領域への進入を許可された者に対応した識別体を認証してから予め設定された時間が経過する前でない場合は、前記監視領域への進入を前記来訪者に許可しない制御部と、を備えた。【選択図】図１
2014232357.tif 000002
【特許請求の範囲】
【請求項１】
施設内の監視領域に対応して設けられた監視領域用読取部と、
前記監視領域用読取部が識別体の識別情報を読み取った際に、当該識別体に対する認証処理を行う認証部と、
前記認証部が前記監視領域への進入を許可された者に対応した識別体を認証してから予め設定された時間が経過する前に前記監視領域の来訪者に対応した識別体を認証した場合は、前記監視領域への進入を前記来訪者に許可し、前記認証部が前記監視領域への進入を許可された者に対応した識別体を認証してから予め設定された時間が経過する前でない場合は、前記監視領域への進入を前記来訪者に許可しない制御部と、
を備えた入退室管理システム。
【請求項２】
予め設定された操作を受け付ける操作部、
を備え、
前記制御部は、前記操作部が操作を受け付けた後に前記認証部が前記監視領域への進入を許可された者に対応した識別体を認証してから予め設定された時間が経過する前に前記来訪者に対応した識別体を認証した場合は、前記監視領域への進入を前記来訪者に許可する請求項１に記載の入退室管理システム。
【請求項３】
前記施設の出入口又は受付に設けられた返却用読取部、
を備え、
前記制御部は、前記監視領域用読取部が前記来訪者に対応した識別体の識別情報を読み取ってから前記返却用読取部が前記来訪者に対応した識別体の識別情報を読み取るまでの時間が予め設定された時間を超過した場合に警報を通知する請求項１又は請求項２に記載の入退室管理システム。
【発明の詳細な説明】
【技術分野】
【０００１】
この発明は、入退室管理システムに関する。
【背景技術】
【０００２】
例えば、特許文献１には、来訪者に対応した識別体を利用する入退室管理システムが提案されている。当該入退室管理システムにおいては、当該識別体は、施設の受付等で来訪者に貸し出される。施設内の監視領域において、来訪者は、当該識別体により認証される。当該認証により、来訪者は、監視領域への進入を許可される。
【先行技術文献】
【特許文献】
【０００３】
【特許文献１】特開２００５−６８８９９号公報
【特許文献２】特開２００６−２５１８４９号公報
【特許文献３】特開２０１１−２５２３６５号公報
【特許文献４】特開２００９−８４８７２号公報
【特許文献５】特開２０１１−４８８１７号公報
【発明の概要】
【発明が解決しようとする課題】
【０００４】
しかしながら、特許文献１に記載の入退室管理システムにおいては、来訪者は、監視領域を単独で通行できる。このため、施設のセキュリティが下がる。
【０００５】
この発明は、上述の課題を解決するためになされた。この発明の目的は、監視領域への進入を来訪者に許可する場合においても、施設のセキュリティを維持することができる入退室管理システムを提供することである。
【課題を解決するための手段】
【０００６】
この発明に係る入退室管理システムは、施設内の監視領域に対応して設けられた監視領域用読取部と、前記監視領域用読取部が識別体の識別情報を読み取った際に、当該識別体に対する認証処理を行う認証部と、前記認証部が前記監視領域への進入を許可された者に対応した識別体を認証してから予め設定された時間が経過する前に前記監視領域の来訪者に対応した識別体を認証した場合は、前記監視領域への進入を前記来訪者に許可し、前記認証部が前記監視領域への進入を許可された者に対応した識別体を認証してから予め設定された時間が経過する前でない場合は、前記監視領域への進入を前記来訪者に許可しない制御部と、を備えた。
【発明の効果】
【０００７】
この発明によれば、監視領域への進入を来訪者に許可する場合においても、施設のセキュリティを維持することができる。
【図面の簡単な説明】
【０００８】
【図１】この発明の実施の形態１における入退室管理システムの構成図である。
【図２】この発明の実施の形態１における入退室管理システムのカードリーダの正面図である。
【図３】この発明の実施の形態１における入退室管理システムに記憶された情報を示す図である。
【図４】この発明の実施の形態１における入退室管理システムの処理を説明するためのフローチャートである。
【図５】この発明の実施の形態１における入退室管理システムの処理を説明するためのフローチャートである。
【図６】この発明の実施の形態１における入退室管理システムの処理を説明するためのフローチャートである。
【図７】この発明の実施の形態１における入退室管理システムの処理を説明するためのフローチャートである。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１における入退室管理システムの構成図である。
【００１１】
図１において、図示しない建築物等の施設には、図示しない出入口が設けられる。施設の出入口には、第１扉１ａが設けられる。第１扉１ａには、電気錠２ａが設けられる。第１扉には、返却用読取部として、カードリーダ３ａが設けられる。
【００１２】
施設内には、図示しない居室等の監視領域が設けられる。監視領域には、図示しない出入口が設けられる。監視領域の出入口には、第２扉１ｂが設けられる。第２扉１ｂには、電気錠２ｂが設けられる。第２扉１ｂには、監視領域用読取部として、カードリーダ３ｂが設けられる。
【００１３】
各電気錠２ａ、２ｂと各カードリーダ３ａ、３ｂとには、ＩＤコントローラ４が接続される。ＩＤコントローラ４は、記憶部４ａ、認証部４ｂ、制御部４ｃを備える。記憶部４ａは、識別情報を予め記憶する。例えば、識別情報は、カードＩＤからなる。認証部４ｂは、カードリーダ３ａ、３ｂと記憶部４ａとに接続される。制御部４ｃは、認証部４ｂと各電気錠２ａ、２ｂとに接続される。
【００１４】
施設の外には、図示しない受付が設けられる。施設には、図示しない保安室が設けられる。受付又は保安室には、図示しないセンター装置が設けられる。センター装置は、ＩＤコントローラ４に接続される。
【００１５】
例えば、施設の社員には、図示しない社員カードが配布される。社員カードは、監視領域への進入を許可された者に対応した識別体からなる。社員カードには、識別情報が記憶される。例えば、識別情報は、カードＩＤからなる。
【００１６】
受付には、図示しない来訪者カードが保管される。来訪者カードは、施設の来訪者に対応した識別体からなる。来訪者カードには、識別情報が記憶される。例えば、識別情報は、カードＩＤからなる。
【００１７】
カードリーダ３ａ、３ｂは、社員カードから識別情報を読み取る。当該識別情報は、認証部４ｂに通知される。認証部４ｂは、通知された識別情報を記憶部４ａに記憶された識別情報と照合する。認証部４ｂは、照合結果に基づいて社員カードに対し認証処理を行う。制御部４ｃは、認証部４ｂの認証処理の結果に基づいて電気錠２ａ、２ｂの施解錠を制御する。
【００１８】
カードリーダ３ａ、３ｂは、来訪者カードから識別情報を読み取る。当該識別情報は、認証部４ｂに通知される。認証部４ｂは、通知された識別情報を記憶部４ａに記憶された識別情報と照合する。認証部４ｂは、照合結果に基づいて社員カードと来訪者カードとの認証処理を行う。制御部４ｃは、認証部４ｂの認証処理の結果に基づいて電気錠２ａ、２ｂの施解錠を制御する。
【００１９】
次に、図２を用いて、監視領域に設定されるモードを説明する。
図２はこの発明の実施の形態１における入退室管理システムのカードリーダの正面図である。
【００２０】
図２に示すように、カードリーダ３ａ、３ｂには、複数の操作部５が設けられる。例えば、カードリーダ３ａ、３ｂには、警備ボタン、解除ボタン、エスコートボタン等が設けられる。
【００２１】
例えば、監視領域を最後に出る社員は、カードリーダ３ｂの警備ボタンを押した後に社員カードをカードリーダ３ｂにかざす。社員カードが認証された場合、監視領域に対し、警備モードが設定される。例えば、監視領域に最初に入る社員は、カードリーダ３ｂの解除ボタンを押した後に社員カードをカードリーダ３ｂにかざす。社員カードが認証された場合、監視領域に対し、解除モードが設定される。例えば、来訪者を監視領域に案内する社員は、エスコートボタンを押した後に社員カードをカードリーダ３ｂにかざす。社員カードが認証された場合、監視領域に対し、エスコートモードが設定される。
【００２２】
次に、図３を用いて、記憶部４ａに記憶された情報の一例を説明する。
図３はこの発明の実施の形態１における入退室管理システムに記憶された情報を示す図である。
【００２３】
図３に示すように、記憶部４ａは、個人番号、カードＩＤ、カード属性、通行権限、エスコート権限、操作日時を対応付けて記憶する。
【００２４】
個人番号の欄とカードＩＤの欄とには、各カードの固有の数字を示す情報が記憶される。カード属性の欄には、社員カード又は来訪者カードであることを示す情報が記憶される。通行権限の欄には、通行を許可される出入口に対応した扉を示す情報が記憶される。エスコート権限の欄には、来訪者を監視領域に案内する権限を有するか否かを示す情報が記憶される。操作日時の欄には、カードリーダ３ｂでカードを操作した日時を示す情報が記憶される。
【００２５】
例えば、個人番号「００００１」のカードＩＤは「００００１」である。当該カードＩＤのカードは、社員カードである。当該社員カードを所持した社員は、第１扉１ａに対応した施設の出入口と第２扉１ｂに対応した監視領域の出入口とを通行できる。当該社員カードを所持した社員は、来訪者を監視領域に案内できる。
【００２６】
例えば、個人番号「００００２」のカードＩＤは「００００２」である。当該カードＩＤのカードは、社員カードである。当該社員カードを所持した社員は、第１扉１ａに対応した施設の出入口を通行できる。当該社員カードを所持した社員は、来訪者を監視領域に案内できない。
【００２７】
例えば、個人番号「００００３」のカードＩＤは「００００３」である。当該カードＩＤのカードは、来訪者カードである。当該来訪者カードを所持した来訪者は、施設の出入口も監視領域の出入口も単独で通行できない。当該来訪者カードを所持した来訪者は、他の来訪者を監視領域に案内できない。
【００２８】
次に、図４を用いて、社員が施設の出入口を通行する際の処理を説明する。
図４はこの発明の実施の形態１における入退室管理システムの処理を説明するためのフローチャートである。
【００２９】
ステップＳ１では、カードリーダ３ａは、カードからカードＩＤを受信する。その後、ステップＳ２に進み、認証部４ｂは、カードが社員カードであるか否かを判定する。
【００３０】
ステップＳ２でカードが社員カードでない場合、動作が終了する。ステップＳ２でカードが社員カードの場合は、ステップＳ３に進む。ステップＳ３では、認証部４ｂは、社員カードに対し認証処理を行う。
【００３１】
ステップＳ３で社員カードが認証されない場合は、動作が終了する。ステップＳ３で社員カードが認証された場合は、ステップＳ４に進む。ステップＳ４では、制御部４ｃは、電気錠２ａに解錠許可信号を出力する。その後、動作が終了する。
【００３２】
次に、図５を用いて、来訪者カードの操作を受け付けるか否かを設定する際の処理を説明する。
図５はこの発明の実施の形態１における入退室管理システムの処理を説明するためのフローチャートである。
【００３３】
ステップＳ１１では、カードリーダ３ｂ等は、エスコートボタンが操作されたか否かを判定する。ステップＳ１１でエスコートボタンが操作されていない場合は、ステップＳ１１の判定が繰り返される。ステップＳ１１でエスコートボタンが操作された場合は、ステップＳ１２に進む。
【００３４】
ステップＳ１２では、カードリーダ３ｂ等は、社員カードの操作を待った状態となる。この際、カードリーダ３ｂ等は、社員カードを受け付けるタイマーに対し、予め設定された時間を設定する。その後、ステップＳ１３に進み、カードリーダ３ｂ等は、社員カードを受け付けるタイマーが切れたか否かを判定する。
【００３５】
ステップＳ１３で社員カードを受け付けるタイマーが切れていない場合は、ステップＳ１３の判定が繰り返される。ステップＳ１３で社員カードを受け付けるタイマーが切れた場合は、動作が終了する。
【００３６】
ステップＳ１３で社員カードを受け付けるタイマーが切れる前にカードリーダ３ｂ等に対しカードが操作された場合は、ステップＳ１４に進む。ステップＳ１４では、カードリーダ３ｂ等は、カードＩＤを受信する。その後、ステップＳ１５に進み、認証部４ｂは、記憶部４ａに記憶された情報に基づいてカードが社員カードか否かを判定する。
【００３７】
ステップＳ１５でカードが社員カードでない場合は、動作が終了する。ステップＳ１５でカードが社員カードの場合は、ステップＳ１６に進む。ステップＳ１６では、認証部４ｂは、社員カードに対し認証処理を行う。
【００３８】
ステップＳ１６で社員カードが認証されない場合は、動作が終了する。ステップＳ１６で社員カードが認証された場合は、ステップＳ１７に進む。ステップＳ１７では、認証部４ｂは、記憶部４ａに記憶された情報に基づいてエスコート権限が当該社員カードに付与されているか否かを判定する。
【００３９】
ステップＳ１７でエスコート権限が当該社員カードに付与されていない場合は、動作が終了する。ステップＳ１７でエスコート権限が当該社員カードに付与されている場合は、ステップＳ１８に進む。ステップＳ１８では、カードリーダ３ｂ等は、来訪者カードの操作を受け付ける状態となっているか否かを判定する。
【００４０】
ステップＳ１８で来訪者カードの操作を受け付ける状態となっていない場合は、ステップＳ１９に進む。ステップＳ１９では、制御部４ｃは、電気錠２ｂ等に解錠許可信号を出力する。その後、ステップＳ２０に進み、カードリーダ３ｂ等は、来訪者カードを受け付ける状態となる。その後、動作が終了する。
【００４１】
ステップＳ１８で来訪者カードを受け付ける状態となっている場合は、ステップＳ２１に進む。ステップＳ２１では、カードリーダ３ｂ等は、来訪者カードの操作の受付を禁止する状態となる。その後、動作が終了する。
【００４２】
次に、図６を用いて、来訪者が監視領域の出入口を通行する際の処理を説明する。
図６はこの発明の実施の形態１における入退室管理システムの処理を説明するためのフローチャートである。
【００４３】
来訪者カードを受け付ける状態となった際、カードリーダ３ｂは、来訪者を受け付けるタイマーに対し、予め設定された時間を設定する。その後、ステップＳ３１に進み、カードリーダ３ｂは、来訪者カードを受け付けるタイマーが切れたか否かを判定する。
【００４４】
ステップＳ３１で来訪者カードを受け付けるタイマーが切れていない場合は、ステップＳ３１の判定が繰り返される。ステップＳ３１で来訪者カードを受け付けるタイマーが切れた場合は、動作が終了する。
【００４５】
ステップＳ３１で来訪者カードを受け付けるタイマーが切れる前にカードリーダ３ｂに対しカードが操作された場合は、ステップＳ３２に進む。ステップＳ３２では、カードリーダ３ｂは、カードからカードＩＤを受信する。その後、ステップＳ３３に進み、認証部４ｂは、記憶部４ａに記憶された情報に基づいてカードが社員カードか否かを判定する。
【００４６】
ステップＳ３３でカードが社員カードの場合は、ステップＳ３４に進む。ステップＳ３４では、認証部４ｂは、社員カードに対し認証処理を行う。
【００４７】
ステップＳ３４で社員カードが認証されない場合は、ステップＳ３１に戻る。ステップＳ３４で社員カードが認証された場合は、ステップＳ３５に進む。ステップＳ３５では、制御部４ｃは、電気錠２ｂに解錠許可信号を出力する。その後、ステップＳ３１に戻る。
【００４８】
ステップＳ３３でカードが来訪者カードの場合は、ステップＳ３６に進む。ステップＳ３６では、認証部４ｂは、来訪者カードに対し認証処理を行う。
【００４９】
ステップＳ３６で来訪者カードが認証されない場合は、ステップＳ３１に戻る。ステップＳ３６で来訪者カードが認証された場合は、ステップＳ３７に進む。ステップＳ３７では、記憶部４ａは、現時点の日時を操作日時として記憶する。その後、ステップＳ３５に進んで、制御部４ｃは、電気錠２ｂに解錠許可信号を出力する。その後、ステップＳ３１に戻る。
【００５０】
次に、図７を用いて、来訪者を監視する際の処理を説明する。
図７はこの発明の実施の形態１における入退室管理システムの処理を説明するためのフローチャートである。
【００５１】
ステップＳ４１では、認証部４ｂは、記憶部４ａに記憶された情報に基づいて、カードリーダ３ｂに対しカードを操作した者が来訪者か否かを判定する。
【００５２】
ステップＳ４１でカードを操作した者が来訪者ではない場合は、動作が終了する。ステップＳ４１でカードを操作した者が来訪者である場合は、ステップＳ４２に進む。
【００５３】
ステップＳ４２では、制御部４ｃは、現在日時と記憶部４ａに記憶された操作日時との差に基づいて来訪者の滞在時間を算出する。その後、ステップＳ４３に進み、制御部４ｃは、来訪者の滞在時間が予め設定された時間を超過したか否かを判定する。
【００５４】
ステップＳ４３で来訪者の滞在時間が予め設定された時間を超過していない場合は、動作が終了する。来訪者の滞在時間が予め設定された時間を超過する前にカードリーダ３ａが当該来訪者カードの識別情報を読み取った場合、制御部４ｃは、当該来訪者カードの返却を認識する。
【００５５】
ステップＳ４３で来訪者の滞在時間が予め設定された時間を超過した場合は、ステップＳ４４に進む。ステップＳ４４では、制御部４ｃは、当該来訪者カードに対応した個人の滞在時間異常警報を出力する。当該滞在時間異常警報は、センター装置に通知される。その後、動作が終了する。
【００５６】
以上で説明した実施の形態１によれば、監視領域において、社員に対応した識別体が認証された場合に限り、監視領域への来訪者の進入が許可される。このため、来訪者が監視領域へ単独で進入することを防止しつつ、来訪者の所在を特定できる。その結果、施設のセキュリティを維持することができる。また、来訪者カードに対し、来訪者の訪問先に応じた複雑な設定が不要となる。
【００５７】
また、来訪者を監視領域に案内する際は、エスコートボタンの操作も必要となる。このため、社員が来訪者を案内する意思を有していない場合に来訪者が監視領域に進入することを防止できる。
【００５８】
また、全来訪者の滞在時間が監視される。この際、来訪者の滞在時間が予め設定された時間を超過した場合に、滞在時間異常警報がセンター装置に通知される。当該通知により、監視領域での面会が完了してから来訪者カードを返却するまでの間に施設内に無用に滞在する来訪者を特定できる。このため、社員は、帰宅する来訪者に付き添わなくてもよい。
【００５９】
なお、カードリーダ３ａを受付に設けてもよい。この場合、全来訪者の滞在時間をより正確に監視することができる。
【００６０】
また、来訪者カードを受け付ける状態は予め設定された時間だけ継続する。このため、複数の来訪者カードを認証する際、エスコートボタンを１度だけ操作すればよい。その結果、複数の来訪者を監視領域にまとめて案内することができる。
【００６１】
また、来訪者カードを受け付ける状態は、予め設定された時間だけしか継続しない。このため、来訪者カードを受け付ける状態がいつまでも継続することを防止できる。
【符号の説明】
【００６２】
１ａ  第１扉、  １ｂ  第２扉、  ２ａ、２ｂ  電気錠、  ３ａ、３ｂ  カードリーダ、  ４  ＩＤコントローラ、  ４ａ  記憶部、  ４ｂ  認証部、  ４ｃ  制御部、  ５  操作部５
【図１】
2014232357.tif 000003
【図２】
2014232357.tif 000004
【図３】
2014232357.tif 000005
【図４】
2014232357.tif 000006
【図５】
2014232357.tif 000007
【図６】
2014232357.tif 000008
【図７】
2014232357.tif 000009